(57)【要約】【課題】  作業性に優れ、収納しておくのに便利であり、歯型や補綴物などの切削、研削作業が行い易く、しかもそれらの非常に細かい部分の切削、研削作業も行い易く、また補綴物などが飛び散らず、紛失するのを防止できるようにし、さらに切削、研削作業を行いながらの他の技工作業の邪魔にもならず、手元が見易く、また首に掛けた状態でも歯型や補綴物などの切削、研削作業を行えるようにした歯科技工用集塵器具を提供する。【解決手段】  作業空間Ｓの両側方および後方を開放した遮蔽体１の少なくとも上面部１ａを透視性とし、前面部１ｂに吸引管２を着脱自在として取り付けるとともに、底面部１ｃに磁石体３を固着したものとしている。【選択図】    図１
2006087482.tif 000002
【特許請求の範囲】
【請求項１】
作業空間（Ｓ）の両側方および後方を開放した遮蔽体（１）の少なくとも上面部（１ａ）を透視性とし、前面部（１ｂ）に吸引管（２）を着脱自在として取り付けるとともに、底面部（１ｃ）に磁石体（３）を固着したことを特徴とする歯科技工用集塵器具。
【請求項２】
前記遮蔽体（１）の上面部（１ａ）に拡大レンズ（７）を着脱自在として取り付けたことを特徴とする請求項１記載の歯科技工用集塵器具。
【請求項３】
前記遮蔽体（１）の上面部（１ａ）および前面部（１ｂ）の両側部内面に丸味を持たせたことを特徴とする請求項１または２記載の歯科技工用集塵器具。
【請求項４】
前記遮蔽体（１）の前面部（１ｂ）に吊り下げ用のベルトを引っ掛けておくための掛け体（９）を設けたことを特徴とする請求項１〜３の何れかに記載の歯科技工用集塵器具。
【請求項５】
容器本体（１１）の前面部（１１ａ）に吸引管（２）を着脱自在として取り付けることができ、容器本体（１１）の上面部（１１ｂ）に多数の通気口（１７）が形成された作業板（１８）を取り付けた補助集塵器具（１０）を組み合わせたことを特徴とする請求項１〜４の何れかに記載の歯科技工用集塵器具。
【発明の詳細な説明】
【技術分野】
【０００１】
この発明は、歯型や補綴物などを切削、研削作業を行う際に発生する切削、研削粉塵を集塵するための歯科技工用集塵器具に関するものである。
【背景技術】
【０００２】
従来、この種の歯科技工用集塵器具としては、例えば図６、７に示したように、両側面に手挿入口５１を有し、少なくともフロント壁５９が透明板よりなるボックス本体５２内の底部寄りに両側壁に亘って支軸５３を回転自在に設けている。そして、支軸５３によってボックス本体５２底部を支軸５３より前側の貴金属収集ゾーン５７と後側の石膏屑集塵ゾーン５８とに区別し、支軸５３に倒し板５４の基部を固定し、石膏屑集塵ゾーン５８を上から臨む吸引管５６を配している。さらに、倒し板５４は前方に倒したときには貴金属収集ゾーン５７を覆い、後方に倒したときには石膏屑集塵ゾーン５８を覆うようにしている（特許文献１）。
【０００３】
このようにした歯科技工用集塵器具は、強力な吸引力で石膏屑を完全に吸引除去でき、しかも貴金属片と石膏屑とを分別収集することができるとしている。
【特許文献１】実開平６−７５４１９号公報（第１頁、図１、３）
【発明の開示】
【発明が解決しようとする課題】
【０００４】
しかしながら、上記従来の歯科技工用集塵器具では、両側面に有した手挿入口５１から手を挿入し、ボックス本体５２内で歯型や補綴物などを切削、研削作業するが、その手挿入口５１は当然のことながら側面の面積より大きくすることはできず、その手挿入口５１の大きさに制限されて、肘から先の動きや、身体全体の姿勢が制限されたり、咬合器が入りづらくなるなどして、作業性が悪くなるという問題点を有していた。
【０００５】
また、上記従来の歯科技工用集塵器具では、ボックス型にしているので、不使用時には嵩張って、収納しておくのに非常に不便であり、歯型や補綴物などを切削、研削しながらの咬み合わせ調整やコンタクトの調整、模型に着脱しながらの操作にも不便であるという問題点を有していた。さらに、人工歯を削合しながら配列したりというワックスアップ操作を行いながらの使用にも不便であるという問題点を有していた。
【０００６】
また、上記従来の歯科技工用集塵器具では、机やテーブル等の作業台に設置して前記切削、研削作業をする場合、ボックス本体５２が作業台に固定されていないので、作業中にボックス本体５２が移動して、切削、研削作業が行い難いという問題点を有していた。
【０００７】
さらに、上記従来の歯科技工用集塵器具では、歯型や補綴物などの非常に細かい部分の切削、研削作業が行い難いという問題点を有していた。
【０００８】
さらにまた、上記従来の歯科技工用集塵器具では、切削、研削作業を行いながらの他の技工作業の邪魔になり、手元が見づらく、さらに長時間、椅子に座っての作業を自分に合った疲れない楽な姿勢、例えばボックス本体５２を首に掛けた状態で歯型や補綴物などを切削、研削作業することができないという問題点を有していた。
【０００９】
そこで、この発明は、上記従来の問題点を解決するものであり、作業性に優れ、収納しておくのに便利であり、歯型や補綴物などの切削、研削作業が行い易く、しかもそれらの非常に細かい部分の切削、研削作業も行い易く、また補綴物などが飛び散らず、紛失するのを防止できるようにし、さらに切削、研削作業を行いながらの他の技工作業の邪魔にもならず、手元が見易く、また首に掛けた状態でも歯型や補綴物などの切削、研削作業を行えるようにした歯科技工用集塵器具を提供することを目的としてなされたものである。
【課題を解決するための手段】
【００１０】
そのため、この発明の歯科技工用集塵器具は、作業空間Ｓの両側方および後方を開放した遮蔽体１の少なくとも上面部１ａを透視性とし、前面部１ｂに吸引管２を着脱自在として取り付けるとともに、底面部１ｃに磁石体３を固着したものとしている。
【００１１】
そして、この発明の歯科技工用集塵器具は、前記遮蔽体１の上面部１ａに拡大レンズ７を着脱自在として取り付けたものとしている。
【００１２】
さらに、この発明の歯科技工用集塵器具は、前記遮蔽体１の上面部１ａおよび前面部１ｂの両側部内面に丸味を持たせたものとしている。
【００１３】
また、この発明の歯科技工用集塵器具は、前記遮蔽体１の前面部１ｂに吊り下げ用のベルトを引っ掛けておくための掛け体９を設けたものとしている。
【００１４】
さらに、この発明の歯科技工用集塵器具は、容器本体１１の前面部１１ａに吸引管２を着脱自在として取り付けることができ、容器本体１１の上面部１１ｂに多数の通気口１７が形成された作業板１８を取り付けた補助集塵器具１０を組み合わせたものとしている。
【発明の効果】
【００１５】
この発明の歯科技工用集塵器具は、以上に述べたように構成されているので、作業性に優れ、収納しておくのに便利であり、歯型や補綴物などの切削、研削作業が行い易く、しかもそれらの非常に細かい部分の切削、研削作業も行い易く、また補綴物などが飛び散らず、紛失するのを防止できるようにし、さらに切削、研削作業を行いながらの他の技工作業の邪魔にもならず、手元が見易く、また首に掛けた状態で歯型や補綴物などを切削、研削作業できるものとなる。
【発明を実施するための最良の形態】
【００１６】
以下、この発明の歯科技工用集塵器具の実施の形態を、図面に基づいて詳細に説明する。
【００１７】
この発明の歯科技工用集塵器具は、図１、２に示したように、作業空間Ｓの両側方および後方を開放した遮蔽体１の少なくとも上面部１ａを透視性とし、前面部１ｂに吸引管２を着脱自在として取り付けるとともに、底面部１ｃに磁石体３を固着したものとしている。
【００１８】
遮蔽体１は、上面部１ａ、前面部１ｂおよび底面部１ｃを、側方から見て略コ字状に連結することにより、作業空間Ｓの両側方および後方を開放したものとしている。上面部１ａは、水平にしてもよいが斜め上方に向けたものとするのが、その上面部１ａを透して作業空間Ｓ内を作業者が見易いものとなる。上面部１ａと前面部１ｂの連結部、前面部１ｂと底面部１ｃの連結部は、角張らせずに丸味を持たせた形状とするのが、埃が溜まり難く、また埃が溜まった場合にも掃除がし易いものとなる。前面部１ｂには、吸引管２を着脱自在として取り付けるための開口４が形成されており、この開口４には取り外し可能とした網Ｎを設けておくことができる。また、前面部１ｂに形成された開口４には吸引管２の口径に大小がある場合にも取り付け可能にしたアダプター５が、必要に応じて設けられている。さらに、上面部１ａおよび前面部１ｂの両側部内面は、丸味を持たせたものとしており、工具の研削刃に引っ掛かるなどして研削している補綴物や人工歯が飛んでその両側部内面に当たった場合に、跳ね返りが小さくなって飛び散らず、紛失するのを防止できるようにしている。また、前面部１ｂの両側端は、作業空間Ｓ側を凹状に湾曲させておくのが、作業空間Ｓに差し込んだ作業者の手首などが触れても抵抗が少なく、作業性に優れたものとなる。さらに、前面部１ｂと底面部１ｃの連結部は、角度調節機構（図示せず）を介して、３〜５段階程度に角度調節できるようにして、より作業性に優れたものとすることができる。なお、遮蔽体１は、少なくとも上面部１ａを透視性とすればよいが、前面部１ｂも透視性にすることにより、作業空間Ｓ内を作業者が見易いものとなり、作業性に優れたものとなる。
【００１９】
吸引管２は、遮蔽体１が設置される机やテーブル等の作業台に設けた保持体６に、その中途部を保持されるようにしており、先端部を前記前面部１ｂの開口４に着脱自在として取り付けている。
【００２０】
磁石体３は、ゴムや合成樹脂に磁石粉を練り込んで薄板状に成形したものなどとして、底面部１ｃの複数個所に貼り付けたり、底面部１ｃの全面に貼り付けて固着したものとしている。
【００２１】
さらに、遮蔽体１の上面部１ａには、拡大レンズ７を着脱自在として取り付けたものとしている。拡大レンズ７は、フレネルレンズと呼ばれる薄くて軽いレンズを用いるのが好ましい。この拡大レンズ７は、略四角形状に形成されており、その両側辺部７ａを、上面部１ａの両側部に形成したスライド溝８に差し込むようにして、その上面部１ａに着脱自在として取り付けている。すなわち、拡大レンズ７は、歯型や補綴物などの非常に細部にわたる部分での作業が楽に行い易く、眼への負担も軽減することができる。拡大レンズ７が必要でないときは、代わりにガラス、アクリルなどの透明板を取り付ければよい。
【００２２】
また、遮蔽体１の前面部１ｂには、作業者がこの歯科技工用集塵器具本体を首から吊り下げて使用できるように、首への吊り下げ用のベルト（図示せず）を引っ掛けておくための掛け体９が設けられている。ベルトは、図示していないが、両端にナス環を取り付けたものなどとしており、そのナス環を掛け体９に引っ掛けることにより、ベルトを掛け体９に取り付けておくことができる。
【００２３】
さらに、この発明の歯科技工用集塵器具は、図３〜５に示したような補助集塵器具１０を組み合わせたものとすることができる。
【００２４】
補助集塵器具１０は、略直方体形状とした中空の容器本体１１の前面部１１ａに吸引管２を着脱自在として取り付けるために開口１２が形成されている。この開口１２には吸引管２の先端口、または前記遮蔽体１の前面部１ｂに形成された開口４の何れかに連結可能としたアダプター１３が設けられている。容器本体１１の上面部１１ｂには、臼形状とした凹部１４が形成されており、この凹部１４の側面および底面には通気口１５が形成されており、底面の通気口１５には網Ｎが被せられている。さらに、容器本体１１の上面部１１ｂには、多数の通気口１７が形成された作業板１８を被せるなどして取り付けている。また、容器本体１１の一側面には、蛇腹状に形成して適宜方向に屈曲可能とし、その屈曲状態を保持できるようにした金属あるいは合成樹脂などのフレキシブルチューブからなるアーム１９が着脱自在として取り付けられており、このアーム１９の先端部には、作業板１８の上方に配されるようにして、拡大レンズ２０が着脱自在として取り付けられている。さらに、容器本体１１の底面部１１ｃには、磁石体２１を固着したものとしている。なお、拡大レンズ２０は前記拡大レンズ７と同様のものを用い、磁石体２１は前記磁石体３と同様のものを用いることができる。
【００２５】
作業板１８は、臼形状とした凹部２２が隣接頂部２３を介して多数設けられており、これら凹部２２の底面にそれぞれ前記通気口１７を形成したものとしている。凹部２２は、図示した例では、四角錐状の凹部を隣接して多数設けることにより、隣接頂部２３が形成されるものとしているが、三角錐状や六角錐状の凹部などとしても、これら凹部を隣接して多数設けることにより、隣接頂部２３が形成されるものとなる。
【００２６】
以上のように構成されたこの発明の歯科技工用集塵器具は、歯型や補綴物などの切削、研削工具などを収納しておく引出し３１を備えた机３２などの作業台に設置するのが好ましく、この机３２の上板３３は磁着性を有した金属とするのが好ましい。上板３３が磁着性を有した金属でない場合には、上板３３に磁着性を有した金属板３４を固定するようにしている。この場合、金属板３４は、上板３３の引出し３１がある位置などの、歯型や補綴物などの切削、研削作業を行う位置に固定する他に、これら以外の作業をするときに歯科技工用集塵器具が邪魔にならないように磁着しておくために、上板３３の隅にも固定しておくことができる。
【００２７】
そこで、歯型や補綴物などの切削、研削作業を行う場合には、この発明の歯科技工用集塵器具を、引出し３１がある位置の上板３３またはこの位置の上板３３に固定した金属板３４の上に、遮蔽体１の前面部１ｂが作業者に対面するようにして置き、底面部１ｃに固着した磁石体３を上板３３または金属板３４に磁着させることにより、作業台から移動しないようにする。
【００２８】
次に、遮蔽体１の前面部１ｂに吸引管２を取り付けた状態で、底面部１ｃの上に歯型や補綴物などを置き、両側方から作業空間Ｓに両手を延ばして、片手で歯型や補綴物などを持ち、もう片手で切削、研削工具を持って、その作業空間Ｓで切削、研削作業を行う。すると、この切削、研削作業で発生した石膏や金属、レジンや陶材などからなる粉塵は、吸引管２から吸引され、集塵されるのはもちろんのこと、補綴物や人工歯などの紛失防止にもなり、作業性に優れたものになるとともに作業環境も良好に保てることになる。
【００２９】
なお、この発明の歯科技工用集塵器具は、作業者が椅子に腰掛け、前記吊り下げ用のベルトを首に引っ掛けた状態で、作業者の膝の上にその器具本体を載せれば、作業台に設置しないでも、前記したのと同様にして切削、研削作業を行うことができる。
【００３０】
また、この発明の歯科技工用集塵器具を短期間使用しないときは、前記作業台の上板３３または金属板３４から外して、上板３３の隅またはこの隅に固定した金属板３４に磁着させることにより、作業者の邪魔にならないようにしておくことができる。
【００３１】
なお、この発明の歯科技工用集塵器具を使用する場合において、遮蔽体１の上面部１ａに取り付けた拡大レンズ７は、不必要なときには外して、代わりにガラス、アクリルなどの透明板を取り付ければよい。
【００３２】
さらに、この発明の歯科技工用集塵器具を、前記補助集塵器具１０と組み合わせて使用する場合には、その歯科技工用集塵器具の遮蔽体１の前面部１ｂに形成された開口４に、作業空間Ｓ側から補助集塵器具１０のアダプター１３を連結する。この場合、補助集塵器具１０の容器本体１１の一側面に取り付けられた拡大レンズ２０は、外しておく。
【００３３】
このようにすれば、補助集塵器具１０は、作業空間Ｓ内に設置されることになり、その作業空間Ｓ内に設置された補助集塵器具１０の作業板１８の上に歯型や補綴物などを置き、これらの切削、研削作業を行う。すると、この切削、研削作業で発生した石膏や金属の切粉などからなる粉塵は、吸引管２からの吸引力により作業板１８に設けた多数の通気口１７から吸引され、集塵されることになる。さらに、この場合、歯型や補綴物などの底部に付着した粉塵も、その底部を作業板１８に擦り付ければ、作業板１８の凹部２２の隣接頂部２３によって、削ぎ取られ、多数の通気口１７から吸引され、集塵されることになる。したがって、この発明の歯科技工用集塵器具を単独で使用するよりも、作業性に優れたものになるとともに作業環境も良好に保てることになる。
【００３４】
また、前記補助集塵器具１０は、この発明の歯科技工用集塵器具と組み合わせて使用することなく、単独でも使用することができる。
【００３５】
前記補助集塵器具１０を単独で使用する場合には、この発明の歯科技工用集塵器具の遮蔽体１の前面部１ｂに形成された開口４に連結された吸引管２を外し、この吸引管２に補助集塵器具１０のアダプター１３を直に接続する。そして、歯型や補綴物などの切削、研削作業を行う場合には、補助集塵器具１０を、引出し３１がある位置の上板３３またはこの位置の上板３３に固定した金属板３４の上に、容器本体１１の前面部１１ａが作業者に対面するようにして置き、底面部１１ｃに固着した磁石体２１を上板３３または金属板３４に磁着させることにより、作業台から移動しないようにする。
【００３６】
そして、歯型や補綴物などを補助集塵器具１０の作業板１８の上に置き、切削、研削作業を行う。すると、この切削、研削作業で発生した石膏や金属の切粉などからなる粉塵は、前記したのと同様に作業板１８に設けた多数の通気口１７から吸引され、集塵されることになる。
【００３７】
なお、補助集塵器具１０を単独で使用する場合には、容器本体１１の一側面に取り付けられた拡大レンズ２０は、取り付けた状態にしておき、歯型や補綴物などの非常に細かい部分の切削、研削作業を行う場合などの作業状況や、作業者の視力に応じて、必要なときに使用すればよい。
【図面の簡単な説明】
【００３８】
【図１】この発明の歯科技工用集塵器具の一実施形態を示す全体斜視図である。
【図２】この発明の歯科技工用集塵器具の要部を拡大して示す斜視図である。
【図３】この発明の歯科技工用集塵器具と組み合わせる補助集塵器具の斜視図である。
【図４】図３に示す補助集塵器具の断面図である。
【図５】図３に示す補助集塵器具の容器本体の斜視図である。
【図６】従来の歯科技工用集塵器具の一例を示す斜視図である。
【図７】図６に示す従来の歯科技工用集塵器具の断面図である。
【符号の説明】
【００３９】
１  遮蔽体
１ａ  上面部
１ｂ  前面部
１ｃ  底面部
２  吸引管
３  磁石体
７  拡大レンズ
９  掛け体
１０  補助集塵器具
１１  容器本体
１１ａ  前面部
１１ｂ  上面部
１１ｃ  底面部
【図１】
2006087482.tif 000003
【図２】
2006087482.tif 000004
【図３】
2006087482.tif 000005
【図４】
2006087482.tif 000006
【図５】
2006087482.tif 000007
【図６】
2006087482.tif 000008
【図７】
2006087482.tif 000009